(57)【要約】【課題】  作成される特定フォルダに印刷サービスを依頼するドキュメント情報を投入するという簡単な操作で、特定フォルダに設定されたプリントサービス属性に従った印刷要求をサーバに行えることである。【解決手段】  ジョブサブミッタ４２０は、新規プリントサービス要求時にプリントサービスサーバ７００から取得されるプリントサービス設定画面に登録すべきプリントサービス属性を設定し、該設定されたプリントサービス属性をプロパティ情報とする特定フォルダ３００を設定毎に記憶手段上に作成し、該作成された特定フォルダに対するドキュメント情報の投入状態を検出して、プリントサービスサーバ７００に対して、該特定フォルダに設定されている前記プリントサービス属性と前記ドキュメント情報とをアップロードする構成を特徴とする。【選択図】  図１２
2005115660.tif 000002
【特許請求の範囲】
【請求項１】
印刷用のデータを作成する少なくとも１つ以上のクライアントと、プリントサービスの印刷データの管理、印刷加工処理、オーダの入力／管理を行うサーバと、印刷データの印刷処理を行うショップシステムとが通信して前記クライアントからの印刷要求を処理するプリントサービスシステムであって、
前記クライアントは、新規プリントサービス要求時に前記サーバから取得されるプリントサービス設定画面を表示装置に表示して、該プリントサービス設定画面上に登録すべきプリントサービス属性を設定する設定手段と、
前記設定手段により設定されたプリントサービス属性をプロパティ情報とする特定記憶領域を設定毎に記憶手段上に作成する特定記憶領域作成手段と、
前記特定記憶領域作成手段により作成された特定特定記憶領域に対するドキュメント情報の投入状態を検出して、前記サーバに対して、該特定記憶領域に設定されている前記プリントサービス属性と前記ドキュメント情報とをアップロードするフォルダ管理手段とを備え、
前記サーバは、前記クライアントからの新規プリントサービス要求時に、プリントサービス設定画面情報を配信する配信手段と、
前記クライアントからアップロードされる前記プリントサービス属性と前記ドキュメント情報とを処理して前記ショップシステムに対するプリントジョブを作成して送信する送信手段とを備えたことを特徴とするプリントサービスシステム。
【請求項２】
前記プリントサービス属性は、前記ドキュメント情報を加工するための印刷体裁設定属性と、プリントサービスを管理するためのオーダ設定属性とを含むことを特徴とする請求項１記載のプリントサービスシステム。
【請求項３】
前記記憶領域管理手段は、前記プリントサービス属性を前記特定記憶領域にリンクする記憶手段上のテーブル上で管理することを特徴とする請求項１記載のプリントサービスシステム。
【請求項４】
前記特定記憶領域に設定されているプリントサービス属性を変更する変更手段を備えることを特徴とする請求項１記載のプリントサービスシステム。
【請求項５】
前記クライアントは、さらに、新規プリントサービス要求時に、前記設定手段により設定されたプリントサービス属性と前記ドキュメント情報とを前記サーバに送信する送信手段を備えることを特徴とする請求項１記載のプリントサービスシステム。
【請求項６】
前記クライアントは、さらに、前記特定記憶領域に設定されたプリントサービス属性をブラウザを介して前記表示装置に表示する制御手段を備えることを特徴とする請求項１記載のプリントサービスシステム。
【請求項７】
前記制御手段は、前記特定記憶領域に投入されているドキュメント情報の指示状態を検出して、プリントサービス属性に従うドキュメント情報のサムネイルをブラウザを介して前記表示装置に表示することを特徴とする請求項６記載のプリントサービスシステム。
【請求項８】
前記制御手段は、前記特定記憶領域に投入されているドキュメント情報の指示状態を検出して、プリントサービス属性に従うドキュメント情報のオーダ情報をブラウザを介して前記表示装置に表示することを特徴とする請求項６記載のプリントサービスシステム。
【請求項９】
前記制御手段は、前記特定記憶領域に投入されているドキュメント情報の指示状態を検出して、プリントサービス属性に従うドキュメント情報の印刷体裁情報をブラウザを介して前記表示装置に表示することを特徴とする請求項６記載のプリントサービスシステム。
【請求項１０】
前記記憶領域管理手段は、前記変更手段により変更されたプリントサービス属性を新たな属性とする新規の特定記憶領域を作成可能とすることを特徴とする請求項１記載のプリントサービスシステム。
【請求項１１】
印刷用のデータを作成する少なくとも１つ以上のクライアントと、プリントサービスの印刷データの管理、印刷加工処理、オーダの入力／管理などを行うサーバと、印刷データの印刷処理を行うショップシステムとが通信して前記クライアントからの印刷要求を処理するプリントサービスシステムにおけるプリント処理方法であって、
前記クライアントにおいて、
新規プリントサービス要求時に前記サーバから取得されるプリントサービス設定画面を表示装置に表示して、該プリントサービス設定画面上に登録すべきプリントサービス属性を設定する設定ステップと、
前記設定ステップにより設定されたプリントサービス属性をプロパティ情報とする特定記憶領域を設定毎に記憶手段上に作成する記憶領域作成ステップと、
前記記憶領域作成ステップにより作成された特定記憶領域に対するドキュメント情報の投入状態を検出して、前記サーバに対して、該特定記憶領域に設定されている前記プリントサービス属性と前記ドキュメント情報とをアップロードする記憶領域管理ステップとを備え、
前記サーバにおいて、
前記クライアントからの新規プリントサービス要求時に、プリントサービス設定画面情報を配信する配信ステップと、
前記クライアントからアップロードされる前記プリントサービス属性と前記ドキュメント情報とを処理して前記ショップシステムに対するプリントジョブを作成して送信する送信ステップとを備えたことを特徴とするプリント処理方法。
【請求項１２】
前記プリントサービス属性は、前記ドキュメント情報を加工するための印刷体裁設定属性と、プリントサービスを管理するためのオーダ設定属性とを含むことを特徴とする請求項１１記載のプリント処理方法。
【請求項１３】
前記記憶領域管理ステップは、前記プリントサービス属性を前記特定記憶領域にリンクする記憶手段上のテーブル上で管理することを特徴とする請求項１１記載のプリント処理方法。
【請求項１４】
前記特定記憶領域に設定されているプリントサービス属性を変更する変更ステップを備えることを特徴とする請求項１１記載のプリント処理方法。
【請求項１５】
前記クライアントにおいて、さらに、新規プリントサービス要求時に、前記設定ステップにより設定されたプリントサービス属性と前記ドキュメント情報とを前記サーバに送信する送信ステップを備えることを特徴とする請求項１１記載のプリント処理方法。
【請求項１６】
前記クライアントにおいて、さらに、前記特定記憶領域に設定されたプリントサービス属性をブラウザを介して前記表示装置に表示する制御ステップを備えることを特徴とする請求項１１記載のプリント処理方法。
【請求項１７】
前記制御ステップは、前記特定記憶領域に投入されているドキュメント情報の指示状態を検出して、プリントサービス属性に従うドキュメント情報のサムネイルをブラウザを介して前記表示装置に表示することを特徴とする請求項１６記載のプリント処理方法。
【請求項１８】
前記制御ステップは、前記特定記憶領域に投入されているドキュメント情報の指示状態を検出して、プリントサービス属性に従うドキュメント情報のオーダ情報をブラウザを介して前記表示装置に表示することを特徴とする請求項１６記載のプリント処理方法。
【請求項１９】
前記制御ステップは、前記特定記憶領域に投入されているドキュメント情報の指示状態を検出して、プリントサービス属性に従うドキュメント情報の印刷体裁情報をブラウザを介して前記表示装置に表示することを特徴とする請求項１６記載のプリント処理方法。
【請求項２０】
前記記憶領域管理ステップは、前記変更ステップにより変更されたプリントサービス属性を新たな属性とする新規の特定記憶領域を作成可能とすることを特徴とする請求項１１記載のプリント処理方法。
【請求項２１】
請求項１１〜２０のいずれかに記載のプリント処理方法を実現するプログラムを記憶したことを特徴とするコンピュータが読み取り可能な記憶媒体。
【請求項２２】
請求項１１〜２０のいずれかに記載のプリント処理方法を実現することを特徴とするプログラム。
【発明の詳細な説明】
【技術分野】
【０００１】
本発明は、ネットワークを利用した企業内印刷システムや、インターネットを利用したパブリックプリントシステムなど、複数のクライアントと、プリントサービスの印刷データの管理、オーダの入力／管理などを行うプリントサービスサーバ、印刷データの印刷処理を行うプリンタを複数管理するショップシステムなどから構成されるプリントサービス分野に利用されるプリントサービスシステムおよびプリント処理方法およびコンピュータが読み取り可能なプログラムを格納した記憶媒体およびプログラムに関するものである。
【背景技術】
【０００２】
従来、プリントサービスにおいて、初回の印刷を行ったオーダ情報や、ユーザが設定した印刷体裁などの情報は、プリントサービスサーバ側で管理され、クライアントからの印刷データを以前に行ったそれらの情報に基づいて再度行う場合は、一旦サーバにログインし、選択、入力処理等を何度も行う必要があった。
【０００３】
なお、従来、この種の先行技術として、特許文献１が既に公開されている。
【特許文献１】特開２０００−１１８０９５号公報  なお、特許文献１は、サーバに作成されたフォルダ上への入稿状況を監視して、印刷ジョブを登録する処理が開示されている。
【発明の開示】
【発明が解決しようとする課題】
【０００４】
しかしながら、印刷処理に必要な情報は、そのジョブ毎に異なる場合があり、たとえ入稿されたジョブ同一でも、同様の印刷設定を繰り返す手間がかかり、特許文献１の課題に加えて、さらに、サーバ側のオペレータによる操作負担が増大する課題が指摘されていた。
【０００５】
本発明は、上記の問題点を解決するためになされたもので、本発明の目的は、クライアント側の印刷用データのアップロードするシステムにおいて、１回目の印刷処理によって、ユーザが設定したオーダ情報、印刷の体裁情報を、プロパティ情報として、任意の特定記憶領域上に設定する事により、特定記憶領域毎のオーダ／印刷体裁を切り替える事が可能で、さらにクライアント側の特定記憶領域上で、既定のオーダ情報、印刷の体裁情報を変更することが可能となるプリントサービス処理環境を自在に構築できるプリントサービスシステムおよびプリント処理方法およびコンピュータが読み取り可能なプログラムを格納した記憶媒体およびプログラムを提供することである。
【０００６】
また、ネットワークを利用したプリントサービスシステムにおける、クライアント側の印刷用データのアップロードするシステムにおいて、特定記憶領域の機能を提供する事で、２回目以降の印刷の要求を、簡易化することが可能となるプリントサービス処理環境を自在に構築できるプリントサービスシステムおよびプリント処理方法およびコンピュータが読み取り可能なプログラムを格納した記憶媒体およびプログラムを提供することである。
【０００７】
さらに、ネットワークを利用したプリントサービスシステムにおける、クライアント側の特定記憶領域による印刷用データファイルを処理するシステムにおいて、特定記憶領域の機能に、特定記憶領域内の印刷用データファイルの一覧表示だけではなく、ユーザが設定したオーダ情報、印刷の体裁情報をプロパティ情報として確認することができ、かつ、印刷用データファイルのプレビュー／サムネイルの内容確認を行えるプリントサービス処理環境を自在に構築できるプリントサービスシステムおよびプリント処理方法およびコンピュータが読み取り可能なプログラムを格納した記憶媒体およびプログラムを提供することである。
【課題を解決するための手段】
【０００８】
本発明に係る第１の発明は、印刷用のデータを作成する少なくとも１つ以上のクライアント（例えば図１に示すクライアントコンピュータ４００）と、プリントサービスの印刷データの管理、印刷加工処理、オーダの入力／管理などを行うサーバ（例えば図１に示すプリントサービスサーバ７００）と、印刷データの印刷処理を行うショップシステム（例えば図１に示すプリントショップ印刷システム８００）とが通信して前記クライアントからの印刷要求を処理するプリントサービスシステムであって、前記クライアントは、新規プリントサービス要求時に前記サーバから取得されるプリントサービス設定画面を表示装置に表示して、該プリントサービス設定画面上に登録すべきプリントサービス属性を設定する設定手段（例えば図１２に示すジョブサブミッタ４２０）と、前記設定手段により設定されたプリントサービス属性をプロパティ情報とする特定記憶領域を設定毎に記憶手段上に作成する記憶領域作成手段（例えば図１２に示すジョブサブミッタ４２０）と、前記記憶領域作成手段により作成された特定記憶領域に対するドキュメント情報の投入状態を検出して、前記サーバに対して、該特定記憶領域に設定されている前記プリントサービス属性と前記ドキュメント情報とをアップロードする記憶領域管理手段（例えば図１２に示すジョブサブミッタ４２０）とを備え、前記サーバは、前記クライアントからの新規プリントサービス要求時に、プリントサービス設定画面情報を配信する配信手段と、前記クライアントからアップロードされる前記プリントサービス属性と前記ドキュメント情報とを処理して前記ショップシステムに対するプリントジョブを作成して送信する送信手段とを備えたことを特徴とする。
【０００９】
本発明に係る第２の発明は、前記プリントサービス属性は、前記ドキュメント情報を加工するための印刷体裁設定属性と、プリントサービスを管理するためのオーダ設定属性とを含むことを特徴とする。
【００１０】
本発明に係る第３の発明は、前記記憶領域管理手段は、前記プリントサービス属性を前記特定記憶領域にリンクする記憶手段上のテーブル上で管理することを特徴とする。
【００１１】
本発明に係る第４の発明は、前記特定記憶領域に設定されているプリントサービス属性を変更する変更手段（例えば図１２に示すジョブサブミッタ４２０）を備えることを特徴とする。
【００１２】
本発明に係る第５の発明は、前記クライアントは、さらに、新規プリントサービス要求時に、前記設定手段により設定されたプリントサービス属性と前記ドキュメント情報とを前記サーバに送信する送信手段（例えば図１２に示すジョブサブミッタ４２０）を備えることを特徴とする。
【００１３】
本発明に係る第６の発明は、前記クライアントは、さらに、前記特定記憶領域に設定されたプリントサービス属性をブラウザを介して前記表示装置に表示する制御手段（例えば図１２に示すジョブサブミッタ４２０）を備えることを特徴とする。
【００１４】
本発明に係る第７の発明は、前記制御手段は、前記特定記憶領域に投入されているドキュメント情報の指示状態を検出して、プリントサービス属性に従うドキュメント情報のサムネイルをブラウザを介して前記表示装置に表示することを特徴とする。
【００１５】
本発明に係る第８の発明は、前記制御手段は、前記特定記憶領域に投入されているドキュメント情報の指示状態を検出して、プリントサービス属性に従うドキュメント情報のオーダ情報をブラウザを介して前記表示装置に表示する（図１５参照）ことを特徴とする。
【００１６】
本発明に係る第９の発明は、前記制御手段は、前記特定記憶領域に投入されているドキュメント情報の指示状態を検出して、プリントサービス属性に従うドキュメント情報の印刷体裁情報をブラウザを介して前記表示装置に表示する（図１４参照）ことを特徴とする。
【００１７】
本発明に係る第１０の発明は、前記記憶領域管理手段は、前記変更手段により変更されたプリントサービス属性を新たな属性とする新規の特定記憶領域を作成可能とすることを特徴とする。
【００１８】
本発明に係る第１１の発明は、印刷用のデータを作成する少なくとも１つ以上のクライアントと、プリントサービスの印刷データの管理、印刷加工処理、オーダの入力／管理などを行うサーバと、印刷データの印刷処理を行うショップシステムとが通信して前記クライアントからの印刷要求を処理するプリントサービスシステムにおけるプリント処理方法であって、前記クライアントにおいて、新規プリントサービス要求時に前記サーバから取得されるプリントサービス設定画面を表示装置に表示して、該プリントサービス設定画面上に登録すべきプリントサービス属性を設定する設定ステップ（図１６に示すステップ（１６０８））と、前記設定ステップにより設定されたプリントサービス属性をプロパティ情報とする特定記憶領域を設定毎に記憶手段上に作成する記憶領域作成ステップ（図１６に示すステップ（１６１０）〜（１６１２））と、前記記憶領域作成ステップにより作成された特定記憶領域に対するドキュメント情報の投入状態を検出して、前記サーバに対して、該特定記憶領域に設定されている前記プリントサービス属性と前記ドキュメント情報とをアップロードする記憶領域管理ステップ（図２０に示すステップ（１９２５））とを備え、前記サーバにおいて、前記クライアントからの新規プリントサービス要求時に、プリントサービス設定画面情報を配信する配信ステップ（図１６のステップ（１６１１））と、前記クライアントからアップロードされる前記プリントサービス属性と前記ドキュメント情報とを処理して前記ショップシステムに対するプリントジョブを作成して送信する送信ステップ（図２１に示すステップ（１９３１））とを備えたことを特徴とする。
【００１９】
本発明に係る第１２の発明は、前記プリントサービス属性は、前記ドキュメント情報を加工するための印刷体裁設定属性と、プリントサービスを管理するためのオーダ設定属性とを含むことを特徴とする。
【００２０】
本発明に係る第１３の発明は、前記記憶領域管理ステップは、前記プリントサービス属性を前記特定記憶領域にリンクする記憶手段上のテーブル上で管理することを特徴とする。
【００２１】
本発明に係る第１４の発明は、前記特定記憶領域に設定されているプリントサービス属性を変更する変更ステップ（図１９に示すステップ（１９１７））を備えることを特徴とする。
【００２２】
本発明に係る第１５の発明は、前記クライアントにおいて、さらに、新規プリントサービス要求時に、前記設定ステップにより設定されたプリントサービス属性と前記ドキュメント情報とを前記サーバに送信する送信ステップ（図１７に示すステップ（１６１６））を備えることを特徴とする。
【００２３】
本発明に係る第１６の発明は、前記クライアントにおいて、さらに、前記特定記憶領域に設定されたプリントサービス属性をブラウザを介して前記表示装置に表示する制御ステップ（図１９に示すステップ（１９１６），（１９１７））を備えることを特徴とする。
【００２４】
本発明に係る第１７の発明は、前記制御ステップは、前記特定記憶領域に投入されているドキュメント情報の指示状態を検出して、プリントサービス属性に従うドキュメント情報のサムネイルをブラウザを介して前記表示装置に表示することを特徴とする。
【００２５】
本発明に係る第１８の発明は、前記制御ステップは、前記特定記憶領域に投入されているドキュメント情報の指示状態を検出して、プリントサービス属性に従うドキュメント情報のオーダ情報をブラウザを介して前記表示装置に表示することを特徴とする。
【００２６】
本発明に係る第１９の発明は、前記制御ステップは、前記特定記憶領域に投入されているドキュメント情報の指示状態を検出して、プリントサービス属性に従うドキュメント情報の印刷体裁情報をブラウザを介して前記表示装置に表示することを特徴とする。
【００２７】
本発明に係る第２０の発明は、前記記憶領域管理ステップは、前記変更ステップにより変更されたプリントサービス属性を新たな属性とする新規の特定記憶領域を作成可能とすることを特徴とする。
【００２８】
本発明に係る第２１の発明は、第１１〜第２０の発明のプリント処理方法を実現するプログラムをコンピュータが読み取り可能な記憶媒体に記憶したことを特徴とする。
【００２９】
本発明に係る第２２の発明は、第１１〜第２０の発明のプリント処理方法を実現するプログラムであることを特徴とする。
【発明の効果】
【００３０】
本発明によれば、クライアント側の印刷用データのアップロードするシステムにおいて、１回目の印刷処理によって、ユーザが設定したオーダ情報、印刷の体裁情報を、プロパティ情報として、任意の特定フォルダ（特定記憶領域）上に設定する事により、特定フォルダ毎のオーダ／印刷体裁を切り替える事が可能で、さらにクライアント側の特定フォルダ上で、既定のオーダ情報、印刷の体裁情報を変更することが可能となるプリントサービス処理環境を自在に構築できる。
【００３１】
また、ネットワークを利用したプリントサービスシステムにおける、クライアント側の印刷用データのアップロードするシステムにおいて、特定フォルダの機能を提供する事で、２回目以降の印刷の要求を、簡易化することが可能となるプリントサービス処理環境を自在に構築できる。
【００３２】
さらに、ネットワークを利用したプリントサービスシステムにおける、クライアント側の特定フォルダによる印刷用データファイルを処理するシステムにおいて、特定フォルダの機能に、特定フォルダ内の印刷用データファイルの一覧表示だけではなく、ユーザが設定したオーダ情報、印刷の体裁情報をプロパティ情報として確認することができ、かつ、印刷用データファイルのプレビュー／サムネイルの内容確認を行えるプリントサービス処理環境を自在に構築できる。
【００３３】
従って、新規プリントサービス処理時に作成される特定フォルダに印刷サービスを依頼するドキュメント情報を投入するという簡単な操作で、該特定フォルダに設定されたプリントサービス属性に従った印刷要求をサーバに行えるプリントサービス処理環境を自在に構築できる等の効果を奏する。
【発明を実施するための最良の形態】
【００３４】
次に本発明を実施するための最良の形態について図面を参照して説明する。
【００３５】
図１は、本発明の第１実施形態を示す印刷システムを適用可能なプリントサービスシステムの一例を示すシステム構成図である。
【００３６】
本実施形態におけるプリントサービスシステムは、図１に示すように、ネットワークＮＥＴ上に接続された印刷用のデータを作成する複数のクライアントホストコンピュータ４００−１，４００−２（台数に制限はない）と、同じくネットワークＮＥＴ上に接続されたプリントサービスの印刷データの管理、オーダの入力／管理などを行う１つ以上のプリントサービスサーバ７００と、印刷データの印刷処理を行う複数のプリンタ１−１，１−２を管理し、実際の印刷処理を行う複数のショップシステム８００−１，８００−２から構成されている。なお、説明上、クライアントホストコンピュータ４００−１，４００−２をクライアントコンピュータ４００と総称する場合、ショップシステム８００−１，８００−２をショップシステム８００と総称する場合がある。
【００３７】
図２は、図１に示したクライアントコンピュータ４００の構成を示すブロック図であり、図１と同一のものには同一の符号を付してある。
【００３８】
図２において、クライアントコンピュータ４００は、Ｗｅｂ機能を持つプリントサービスサーバと各種データをやり取りするためのネットワークコントローラ４０７と、中央制御のためのオペレーティングシステム（ＯＳ）４０５と、アプリケーションのデータ、プリントサービスドキュメントデータの一時保存、各種データの記憶のためのハードディスク４５１とそれを制御するハードディスクコントローラ４５０と、ＲＯＭ／ＲＡＭのメモリ４０６と、作業者からの指示入力手段として、マウス４３１と、キーボード４４１とそれらのコントローラ４３０と、レイアウト／編集／メニュー表示のためのカラーディスプレイ４１２と、ディスプレイメモリ４１１と、ディスプレイコントローラ４１０及び、クライアントコンピュータ４００上での各種イメージ処理、及び、表示処理などやグラフィック作成の処理などを行うグラフィックマネージャ４１３と、そして、クライアントコンピュータ４００上のアプリケーションプログラムからのデータを、グラフィックマネージャ４１３を介して、プリントサービス用のプリントサービスドキュメントデータ３５１へ変換処理を行うプリントサービスドライバ４６１と、その変換されたプリントサービスドキュメントデータをスプール処理するポートモニタ／スプーラ４６０と、そのデータを一時的に保持するホットフォルダ３００−１〜３００−Ｎ（総称する場合は、ホットフォルダ３００として説明する）、そのホットフォルダからのデータを管理し、プリントサービスサーバとの接続処理と、各種データのアップロードを行うジョブサブミッタ４２０とから構成される。
【００３９】
ホットフォルダ３００は、クライアントコンピュータ４００上では、フォルダのアイコンで表示されており、上記のプリントサービスドライバ４６１からのプリントサービスドキュメントデータだけでなく、任意のアプリケーションデータを直接、ユーザが、ホットフォルダ３００にドラッグ＆ドロップする事が可能である。
【００４０】
ホットフォルダ３００は、図示されるように１〜Ｎ個分の複数作成することが可能で、ジョブサブミッタ４２０によりホットフォルダプロファイル管理データ１００を使用し管理される。
【００４１】
図３は、図１に示したプリントサービスサーバ７００の構成を示す詳細ブロック図でる。
【００４２】
図３において、プリントサービスサーバ７００は、以下の各種マネージャにより構成される。
【００４３】
一般的なＷｅｂサービスを行うＷｅｂサービスマネージャ７７０、プリントサービスサーバ全体の管理を中心に行うプリントサービスマネージャ７０１、複数のクライアントからのプリントサービスの各種設定／管理を行うクライアントマネージャ７０２、クライアントからのプリントサービス要求をオーダとしての単位で管理するオーダ管理マネージャ７０４、複数の印刷データを１つの印刷ジョブとして管理するジョブ管理マネージャ７０５、１つのオーダは、複数のジョブから構成される場合もある。
【００４４】
クライアントコンピュータ４００からアップロードされた複数の印刷データを１つの印刷データにマージして結合処理を行うジョブ結合マネージャ７０６、印刷データのプレビュー処理や、サムネイル作成の処理を行うジョブ加工マネージャ７０７、クライアントからアップロードされた印刷データ７５３や、結合処理された印刷データ７５３、登録された複数のオーダ情報（オーダ）７５０−１〜７５０−Ｎ、それに対する１つ以上のジョブ情報（ジョブ）７５２−１〜７５２−Ｎ、１つのジョブ情報に対して、１つ以上の印刷データ７５３−１〜７５３−Ｎとリンクされた保管データ７８０を管理する保管マネージャ７０８より構成される。
【００４５】
また、保管マネージャ７０８は、クライアントのユーザ名／ユーザＩＤとそれに対応するパスワードのユーザ情報７５５も保管する。
【００４６】
図４は、図１に示したプリントショップ印刷システム８００の詳細構成を説明するブロック図である。
【００４７】
図４において、プリントショップ印刷システム８００は、複数の拠点の構成が可能となっており、１つのショップ側の構成は、プリントサービスサーバ７００と通信を行いショップ側の全体管理を行うショップゲートウエイ８０１と、その印刷情報管理や、印刷処理を行う管理オペレータ８３０への工程割り当てや、進捗管理を行う工程マネージャ８０２、印刷をプリンタ８２０に対して行い印刷の終了／エラー処理等の管理を行うプリントマネージャ８０３、印刷され製本処理された印刷物を配送処理の管理を行う配送マネージャ８０６からショップゲートウエイ８０１は構成され、同じショップのネットワーク上に、印刷のジョブの工程割り当てされた各オペレータが印刷処理、入力処理を行う複数からなるオペレータ８１０−１〜８１０−Ｎ、実際の印刷を行う複数からなるプリンタ８２０−１８２０−Ｎが接続されている。なお、プリンタ８２０−１８２０−Ｎのいずれかで印刷された印刷結果は、印刷物として、例えば配送サービスにより、印刷サービス要求者に配送される。なお、課金処理が伴う場合も本発明の適用範囲である。
【００４８】
図５，図６は、図２に示したホットフォルダの種別とその機能を説明する図であり、本実施形態において、ホットフォルダには、２種類のタイプがあり、ホットフォルダに対してオーダ情報／印刷体裁情報のプロパティが何も設定されていないデフォルトホットフォルダ３０５と、一度印刷までのプリントサービスを行い、そのプリントサービス上で設定されたオーダ情報／印刷体裁情報のプロパティがセットされたホットフォルダ３００とがある。図５は、デフォルトホットフォルダ３０５の構成に対応し、図６は、ホットフォルダ３００の構成に対応する。
【００４９】
図５に示すデフォルトホットフォルダ３０５は、クライアントコンピュータ４００に１つだけ存在し、一般ホットフォルダ３００は、ユーザが設定したオーダ情報／印刷体裁情報のプロパティ分の任意の数だけ作成する事が可能となっている。
【００５０】
また、デフォルトホットフォルダ３０５は、クライアントのホストコンピュータ上にアイコンとして表示されており、既に存在するアプリケーションデータ３５０または、プリントサービスドキュメントデータ３５１−１を、任意の数だけマウスを使用し、デフォルトホットフォルダ上のアイコン上にドラッグ＆ドロップすることにより、デフォルトホットフォルダ内にデータがコピーされ、データがフォルダ内に投入される。
【００５１】
また、別の方法として、ユーザは、アプリケーション上からプリントサービスドライバ４６１を選択し、プリント処理を行う。
【００５２】
これにより、前記ように、アプリケーションプログラムからのデータ３５０−１を、グラフィックマネージャ４１３を介して、プリントサービス用のプリントサービスドキュメントデータ３５１−１へ変換処理をプリントサービスドライバ４６１が行い、その変換されたプリントサービスドキュメントデータ３５０−１〜３５０−３をポートモニタ／スプーラ４６０を介して、デフォルトホットフォルダ内に保存する。
【００５３】
また、デフォルトホットフォルダ３０５は、上記手段により投入されたデータを、プリントサービスサーバ７００に正常にアップロードされた時に、それらのデータを移動する先となるデフォルトホットフォルダ３０５内にオリジナルフォルダ３０１と、エラーが発生したとき対象となるデータを移動するエラーフォルダ３０２と、処理されたプリントサービスのログ情報が保存されるログフォルダ３０３とから構成される。
【００５４】
これらの作業により、ポートモニタ／スープラ４６０は、データがデフォルトホットフォルダ３０５内にコピーすると同時に、ポートモニタ／スープラ４６０は、ジョブサブミッタ４２０を呼び出す。
【００５５】
ここで、ジョブサブミッタ４２０は、図７に示すデフォルトホットフォルダダイアログ６００のウインドウをディスプレイ４１２上に表示する。
【００５６】
図７，図８は、図２に示したディスプレイ４１２に表示されるデフォルトフォルダダイアログの一例を示す図であり、ジョブサブミッタ４２０によりディスプレイ４１２上に表示される。
【００５７】
図７において、タイトル部分６０１にフォルダに付けられている名前が表示され、一般的な終了などのメニュー処理が組み込まれているメニュー部分６０２、ホットフォルダのプロパティの設定を行うＨｏｔＦｏｌｄｅｒプロパティ設定ボタン６０４、前記デフォルトホットフォルダ内に投入されたデータファイルの一覧表示部６０５、各種情報を表示する情報表示部６０６、デフォルトホットフォルダ内のデータを、プリントサービスサーバへアップロードを開始するアップロードボタン６０７から構成される。
【００５８】
投入されたデータファイルの一覧表示部６０５では、各ファイルのファイル名と、それを識別するための文書名、データサイズ、更新日時が表示される。
【００５９】
また、マウス４３１により、データファイルの一覧表示部６０５の１つのファイルをクリックする事により、図８に示すように、そのデータのサムネイル表示６１１と、そのデータファイルの文書情報６１２が、情報表示部６０６に表示される。
【００６０】
一方、一般のホットフォルダ３００は、図９〜図１１に示すように構成されており、前記デフォルトホットフォルダ３０５と同様で、データの投入方法に関しても同様である。
【００６１】
ここでの違いは、図５に示すジョブサブミッタ４２０が、それぞれのホットフォルダに対応したオーダ／印刷体裁プロパティ情報１５０をホットフォルダプロファイル管理データ４２１内に保持、管理している点である。
【００６２】
また、デフォルトホットフォルダ３０５の時と同様に、データがホットフォルダ３００内に投入されると、図９に示すホットフォルダダイアログのウインドウをディスプレイ４１２に表示する。
【００６３】
図９〜図１１は、図２に示したディスプレイ４１２に表示されるホットフォルダダイアログの一例を示す図であり、図７と同一のものには同一の符号を付してある。
【００６４】
なお、デフォルトホットフォルダ３０５との違いは、ホットフォルダ３００に設定されているオーダ／印刷体裁情報プロパティを表示するボタン６０３がある点である。
【００６５】
図１０に示すように、マウス４３１により、データファイルの一覧表示部６０５のファイルをクリックした場合も、前記デフォルトホットフォルダの処理と同様に、そのデータファイルのサムネイルと文書情報を表示する。
【００６６】
オーダ／印刷体裁情報プロパティを表示／変更するためのボタン６０３を押した場合は、図１１に示すホットフォルダダイアログの情報表示部にオーダ／印刷体裁プロパティ情報が表示され、ユーザは、印刷を行うために、印刷部数６２１、仕上げ用紙サイズ６２２、両面／片面の仕上げ区分６２３、カラー／モノクロかの印刷モード６２４、標準紙／コート紙等の紙種６２５、１枚の用紙内に何ページのレイアウトを行うかのレイアウト６２６、ステイプル綴じや、製本綴じ、穴あけリング処理等の製本処理６２７、オーダとしての設定に必要な納品先６２８／住所６２９／電話番号６３０を確認し、変更することが可能となっている。なお、携帯電話のメールアドレス等を加えるのは任意である。
【００６７】
プリントサービスサーバ７００にアップロードする前に、ホットフォルダに設定されているオーダ／印刷体裁プロパティ情報１５０を確認し、さらにその設定の内容を事前にクライアント側のホットフォルダ上で変更することできる。
【００６８】
以下に、上記構成のプリントサービスシステムにおいて、ホットフォルダの仕組みを用いた動作手順を記す。
【００６９】
以下、ホットフォルダ３００の作成プロセスから初回のプリントサービス処理を含む一連の処理について、図１２〜図１７を参照して説明する。
【００７０】
＜プリントサービスドキュメントドライバによるデータ作成処理＞
図１２は、本発明に係るプリントサービスシステムにおけるホットフォルダ作成プロセスを説明する図である。
【００７１】
図１２において、ユーザは、プロセス（Ｐ１）５０１にあるように、クライアントコンピュータ４００上のアプリケーションプログラムを起動し、ドキュメントデータを、プリントサービス用のプリントサービスドキュメントデータ３５１へ変換処理をプリントサービスドライバ４６１により行い、デフォルトホットフォルダ３０５内へ作成される。
【００７２】
＜アプリケーションデータの直接投入処理＞
なお、既にアプリケーションのドキュメントデータがある場合や、プリントサービスドキュメントデータ３５１への変換を行わずにアップロードしたい場合など、ドキュメントデータを直接、デフォルトホットフォルダ３０５へ、マウス４３１を使用しドラッグ＆ドロップする。この際に、ドキュメントデータは、１つ以上のファイルデータでも可能である。
【００７３】
＜ジョブサブミッタのデータ受け取り＞
ジョブサブミッタ４２０は、前記デフォルトホットフォルダ３０５に投入された時点で呼び出され、前記デフォルトホットフォルダダイアログ（図７参照）が表示される。
【００７４】
デフォルトホットフォルダ３０５内に投入されたデータファイルは、一覧表示部６０５上に前記ように表示され、１つ１つのファイルの内容に関して、ファイル部分をクリックすることにより、サムネイルの確認、文書情報の確認ができる。
【００７５】
ここで、内容を確認した時点で、ユーザは、デフォルトホットフォルダダイアログのアップロードボタン６０７を押す。
【００７６】
図１３は、図２に示したディスプレイに表示されるログイン認証画面の一例を示す図である。
【００７７】
＜ログインダイアログ表示と認証＞
アップロードボタン６０７が押されると、ジョブサブミッタ４２０は、図１３に示すログインダイアログ６５０をディスプレイ４１２上に表示し、ユーザは、あらかじめ割り当てられているユーザ名６５１もしくはユーザＩＤを入力し、さらに、パスワード６５２を入力し、OKボタンＢＴ１を押す。
【００７８】
このとき、ユーザ名／パスワードを再度入力する必要がないように保存のチェックボックス６５３をオンにすることで、ジョブサブミッタ４２０は、その情報を暗号化して、ホットフォルダプロパティ管理データ４２１に保存する。
【００７９】
その後、ジョブサブミッタ４２０は、プロセス（Ｐ２）５０２により、あらかじめ一意的に決められているプリントサービスのログイン認証のＷｅｂアドレスを、ウェブブラウザアプリケーションのアドレスにセットし呼び出す。
【００８０】
これにより、プリントサービスサーバのＷｅｂサービスマネージャ７７０は、ｈｔｔｐのプロトコルにより、ジョブサブミッタ４２０から、ユーザ名／パスワードを受け取り、クライアントマネージャ７０２は、そのユーザ名／パスワードの内容が保管マネージャ７０８が管理するユーザ情報７５５と一致するかを判断する。
【００８１】
ユーザ認証が、クライアントマネージャ７０２で確認されると、Ｗｅｂサービスマネージャ７７０は、認証されたことを示す一意的に決められた情報をジョブサブミッタ４２０へ返す。これにより、ジョブサブミッタは、認証されたことを認識する。
【００８２】
＜データのアップロード＞
ジョブサブミッタ４２０は、認証の確認より、デフォルトホットフォルダ３０５内のデータを、プリントサービスサーバ側へアップロードする。
【００８３】
アップロードされたデータは、クライアントマネージャ７０２により、保管マネージャ７０８内に一時的に保持される。
【００８４】
＜印刷体裁設定＞
このようにして、アップロードが終了すると、ウェブブラウザアプリケーションのウインドウが開かれ、プリントサービスのウェブ処理へ移行する。
【００８５】
ここで、アップロードしたデータに対して、図１４に示すように、印刷体裁の設定のウェブページがウェブブラウザに表示される。
【００８６】
図１４は、図２に示したディスプレイ４１２に表示されるプリントサービス設定画面の一例を示す図であり、クライアントコンピュータ４００上のウェブブラウザに表示される場合に対応する。
【００８７】
ここで、ユーザは印刷を行うために、印刷部数９０１、仕上げ用紙サイズ９０２、両面／片面の仕上げ区分９０３、カラー／モノクロかの印刷モード９０４、標準紙／コート紙等の紙種９０５、１枚の用紙内に何ページのレイアウトを行うかのレイアウト９０６、ステイプル綴じや、製本綴じ、穴あけリング処理等の製本処理９０７を、ウェブページ内で設定を行う。なお、次の処理へ行く場合は、次の処理へのボタン９１１を押す。
【００８８】
このとき、クライアントマネージャ７０２は、ジョブ管理マネージャ７０５に対して、プリントサービスサーバ内で一意的に決められたジョブＩＤの生成と入力された印刷体裁のプロパティ情報データを作成し、保管データ７８０にジョブデータ７５２として、一時保存する。
【００８９】
＜オーダ設定＞
このようにして、印刷体裁の設定後、ユーザはオーダの設定を図１５に示すブラウザ上で行う。
【００９０】
図１５は、図２に示したディスプレイ４１２に表示されるプリントサービス設定画面の一例を示す図であり、クライアントコンピュータ４００上のウェブブラウザに表示されるオーダ設定Ｗｅｂ表示例に対応する。
【００９１】
図１５に示すように、オーダとしての設定に必要な納品先９５０、住所９５１、電話番号９５２などを入力する。
【００９２】
そして、該項目の入力後、次の処理へのボタン９１１を押す。このとき、クライアントマネージャ７０２は、オーダ管理マネージャ７０４に対して、オーダのプロパティ情報の作成を依頼し、プリントサービスサーバ７００内で一意的に決められたオーダＩＤのコードを生成し、ユーザが入力したユーザ名／納品先／納品先住所／納品先電話番号とともに、オーダプロパティ情報データとして、先に保管されているジョブデータとリンクして、オーダデータ７５０を保管データに作成する。
【００９３】
ユーザは、次の処理のボタン９１１により、作成されたオーダＩＤを表示するウェブページが表示され、ユーザはそのＩＤを記憶する。ここで、プリントサービスの一連のオーダ処理は完了する。
【００９４】
＜ホットフォルダ作成処理＞
印刷体裁設定入力、もしくは、オーダ設定入力時に、それらの設定をクライアント上のホットフォルダとして作成したい場合は、図１５に示す画面上で、印刷体裁設定、オーダ設定画面上のＨｏｔＦｏｌｄｅｒ作成ボタン９１３を押すことが可能となる。
【００９５】
そのときに、ホットフォルダの名前を入力９１２する。また、オーダ設定時にホットフォルダを作成する場合は、その前に設定した印刷体裁の内容も含めるかをチェックボックス９１５で指定することも可能である。
【００９６】
クライアントマネージャ７０２は、ユーザが指定したホットフォルダプロパティ情報として、オーダプロパティと印刷体裁プロパティの情報データ１５０と、ホットフォルダ名の情報を、図１２に示すようにプロセス（Ｐ６）５０６で、クライアント上のジョブサブミッタ４２０へ転送する。
【００９７】
このとき、前記ようにユーザが設定したタイミングにより、印刷体裁プロパティだけの場合や、オーダプロパティだけの情報データ１５０の構成となる場合もある。
【００９８】
ジョブサブミッタ４２０は、図１２に示すプロセス（Ｐ７）５０７として、プリントサービスサーバ７００から送信されたオーダ／印刷体裁プロパティ情報１５０と、ホットフォルダ名の情報から、クライアント上にホットフォルダ３００を作成する。
【００９９】
このとき、ジョブサブミッタは、ホットフォルダプロパティ管理データに、新規のホットフォルダ情報として、ダウンロードされたオーダ／印刷体裁プロパティ情報１５０を追加し作成した、そのホットフォルダとリンクして管理する。  これにより、クライアント上に、ユーザが指定した内容のホットフォルダのアイコンが作成される。
【０１００】
＜初回のプリントサービス処理＞
前記ようにプリントサービスサーバ上で発行されたオーダＩＤの確認処理後、ショップマネージャ７０３は、図１２に示したプロセス（Ｐ３）５０３として、ショップゲートウエイ８０１に対して、オーダ／印刷体裁プロパティ情報１５０とオーダＩＤ,ジョブＩＤなどの情報を送信する。
【０１０１】
＜ショップ側でのプリントサービス処理＞
ショップゲートウエイ８０１の工程マネージャ８０２は、プリントサービスサーバ７００から送信された上記情報をもとに、ショップ８００内のオペレータに対して印刷を行うプリンタの指定も含むジョブの割り振りを行う。
【０１０２】
割り振られたオペレータは、オペレータＰＣからプリントサービスサーバ７００のショップマネージャ７０３に対して、指定されたオーダＩＤ／ジョブＩＤをウェブページで指定し、それに対応した印刷データを含むジョブデータを、ショップ上のオペレータＰＣ上にダウンロードする。
【０１０３】
このとき、印刷データは、ジョブサブミッタがプリントサービスサーバにアップロードしたプリントサービスドキュメントデータや、アプリケーションデータになる。
【０１０４】
各オペレータは、工程マネージャより指示された印刷体裁プロパティ情報に基づいて、各オペレータＰＣ８１０上のプリンタドライバを使用して、工程マネージャ８０２より指示されたプリンタ８２０に対してプリント処理を行う。
【０１０５】
その際に、プリンタドライバは、プリントマネージャ８０３を介して、指定プリンタへ印刷を行い、印刷終了の確認や、エラー発生等の確認処理が、プリントマネージャが常時確認することになり、その情報をうける工程マネージャが、印刷の進捗状況を随時モニタしている。
【０１０６】
印刷が終了した時点で、オフラインで製本処理が必要な場合は、各オペレータがオフラインで製本処理し、その進捗をオペレータＰＣ８１０を介して、工程マネージャ８０２に入力する。その製本処理が終了し、印刷物が完成した時点で、配送処理を行い、終了した時点で、前記ようにオペレータＰＣから、ショップゲートウエイの配送マネージャへ完了の入力をおこなう。
【０１０７】
これにより、図１２に示したプロセス（Ｐ５）５０５にあるように工程マネージャは、配送完了のステータスをプリントサービスサーバへ返送し、ショップマネージャ７０３は、プリントサービスサーバ７００上の対応するオーダＩＤのオーダ情報のステータスを更新する。
【０１０８】
これにより、ユーザの初回のプリントサービス処理が完了する。
【０１０９】
図１６，図１７は、本発明に係るプリントサービスシステムにおける第１のデータ処理手順の一例を示すフローチャートであり、ホットフォルダ作成処理と初回のプリントサービス処理を含む一連の処理手順に対応する。なお、（１６０１）〜（１６２０）は各ステップを示す。なお、本処理は、図１２に示すように、クライアントコンピュータ４００側のステップと、プリントサービスサーバ７００側のステップと、ショップ８００側のステップを含むものであるが、それぞれが独立したプログラムとして構成し、共同して一連の処理を実行するものとする。
【０１１０】
まず、ステップ（１６０１）で、既にデータがあるかどうかを判断して、データがないと判断した場合は、ユーザは、ステップ（１６０３）で、プロセス（Ｐ１）５０１にあるように、クライアントコンピュータ４００上のアプリケーションプログラムを起動し、ステップ（１６０４）で、ドキュメントデータを、プリントサービス用のプリントサービスドキュメントデータ３５１へ変換処理をプリントサービスドライバ４６１により行い、デフォルトホットフォルダ３０５内へ作成され、ステップ（１６０５）へ進む。
【０１１１】
一方、ステップ（１６０１）で、既にアプリケーションのドキュメントデータがあると判断した場合や、プリントサービスドキュメントデータ３５１への変換を行わずにアップロードしたい場合は、ステップ（１６０２）で、ドキュメントデータを直接、デフォルトホットフォルダ３０５へ、マウス４３１を使用しドラッグ＆ドロップする。この際に、ドキュメントデータは、１つ以上のファイルデータでも可能である。
【０１１２】
次に、ステップ（１６０５）で、ジョブサブミッタ４２０は、データを受け取ると、前記デフォルトホットフォルダ３０５に投入された時点で呼び出され、前記デフォルトホットフォルダダイアログ（図７参照）が表示される。
【０１１３】
デフォルトホットフォルダ３０５内に投入されたデータファイルは、一覧表示部６０５上に前記ように表示され、１つ１つのファイルの内容に関して、ファイル部分をクリックすることにより、サムネイルの確認、文書情報の確認ができる。
【０１１４】
ここで、内容を確認した時点で、ユーザは、デフォルトホットフォルダダイアログのアップロードボタン６０７を押す。
【０１１５】
そして、アップロードボタン６０７が押されると、ステップ（１６０６）で、ジョブサブミッタ４２０は、図１３に示すログインダイアログ６５０をディスプレイ４１２上に表示し、ユーザは、あらかじめ割り当てられているユーザ名６５１もしくはユーザＩＤを入力し、さらに、パスワード６５２を入力し、OKボタンＢＴ１を押す。
【０１１６】
このとき、ジョブサブミッタ４２０から、ユーザ名／パスワードを受け取り、クライアントマネージャ７０２は、そのユーザ名／パスワードの内容が保管マネージャ７０８が管理するユーザ情報７５５と一致するかのユーザ認証を行う。
【０１１７】
ユーザ認証が、クライアントマネージャ７０２で確認されると、Ｗｅｂサービスマネージャ７７０は、認証されたことを示す一意的に決められた情報をジョブサブミッタ４２０へ返す。これにより、ジョブサブミッタは、認証されたことを認識する。
【０１１８】
次に、ジョブサブミッタ４２０は、ステップ（１６０７）で、デフォルトホットフォルダ３０５内のデータを、プリントサービスサーバ側へアップロードする。
【０１１９】
アップロードされたデータは、クライアントマネージャ７０２により、保管マネージャ７０８内に一時的に保持される。このようにして、アップロードが終了すると、ウェブブラウザアプリケーションのウインドウが開かれ、プリントサービスのウェブ処理へ移行する。
【０１２０】
次に、ステップ（１６０８）で、アップロードしたデータに対して、図１４に示すように、印刷体裁の設定のウェブページがウェブブラウザに表示して、印刷体裁の設定を上述したように実行する。
【０１２１】
そして、印刷体裁の設定後、ステップ（１６０９）で、ユーザはオーダの設定を図１５に示すブラウザ上で行う。そして、ユーザは、次の処理のボタン９１１を押下すると、作成されたオーダＩＤを表示するウェブページが表示され、ユーザはそのＩＤを記憶する。ここで、プリントサービスの一連のオーダ処理は完了する。
【０１２２】
そして、印刷体裁設定入力、もしくは、オーダ設定入力時に、それらの設定をクライアント上のホットフォルダとして作成したい場合は、図１５に示す画面上で、印刷体裁設定、オーダ設定画面上のＨｏｔＦｏｌｄｅｒ作成ボタン９１３を押すと（１６１０）、クライアントマネージャ７０２は、ユーザが指定したホットフォルダプロパティ情報として、オーダプロパティと印刷体裁プロパティの情報データ１５０と、ホットフォルダ名の情報を、図１２に示すようにプロセス（Ｐ６）５０６で、クライアント上のジョブサブミッタ４２０へダウンロードする（１６１１）。
【０１２３】
このとき、前記ようにユーザが設定したタイミングにより、印刷体裁プロパティだけの場合や、オーダプロパティだけの情報データ１５０の構成となる場合もある。
【０１２４】
そして、ジョブサブミッタ４２０は、図１２に示すプロセス（Ｐ７）５０７として、プリントサービスサーバ７００から送信されたオーダ／印刷体裁プロパティ情報１５０と、ホットフォルダ名の情報から、クライアント上にホットフォルダ３００を作成して（１６１２）、処理を終了する。
【０１２５】
このとき、ジョブサブミッタは、ホットフォルダプロパティ管理データに、新規のホットフォルダ情報として、ダウンロードされたオーダ／印刷体裁プロパティ情報１５０を追加し作成した、そのホットフォルダとリンクして管理する。  これにより、クライアント上に、ユーザが指定した内容のホットフォルダのアイコンが作成される。
【０１２６】
一方、初回のプリントサービス処理が開始されると、設定されたオーダジョブのデータをホットフォルダ３００に保存したら（１６１３）、ショップマネージャ７０３は、図１２に示したプロセス（Ｐ３）５０３として、ショップゲートウエイ８０１に対して、オーダ／印刷体裁プロパティ情報１５０とオーダＩＤ,ジョブＩＤなどの情報を送信する（１６１４）。
【０１２７】
そして、ショップゲートウエイ８０１の工程マネージャ８０２は、プリントサービスサーバ７００から送信された上記情報をもとに、ショップ８００内のオペレータに対して印刷を行うプリンタの指定も含むジョブの割り振りを行う（１６１５）。
【０１２８】
そして、割り振られたオペレータは、オペレータＰＣからプリントサービスサーバ７００のショップマネージャ７０３に対して、指定されたオーダＩＤ／ジョブＩＤをウェブページで指定し、それに対応した印刷データを含むジョブデータを、ショップ上のオペレータＰＣ上にダウンロードする（１６１６）。
【０１２９】
このとき、印刷データは、ジョブサブミッタがプリントサービスサーバにアップロードしたプリントサービスドキュメントデータや、アプリケーションデータになる。
【０１３０】
各オペレータは、工程マネージャより指示された印刷体裁プロパティ情報に基づいて、各オペレータＰＣ８１０上のプリンタドライバを使用して、工程マネージャ８０２より指示されたプリンタ８２０に対してプリント処理を行う（１６１８）。
【０１３１】
その際に、プリンタドライバは、プリントマネージャ８０３を介して、指定プリンタへ印刷を行い、印刷終了の確認や、エラー発生等の確認処理が、プリントマネージャが常時確認することになり、その情報をうける工程マネージャ８０２が、印刷の進捗状況を随時モニタしている。
【０１３２】
そして、印刷が終了した時点で、オフラインで製本処理が必要な場合は、各オペレータがオフラインで製本処理し、その進捗をオペレータＰＣ８１０を介して、工程マネージャ８０２に入力する。その製本処理が終了し、印刷物が完成した時点で、配送処理を行い（１６１９）、終了した時点で、前記ようにオペレータＰＣから、ショップゲートウエイ８０１の配送マネージャ８０６へ完了の入力を行う。
【０１３３】
これにより、図１２に示したプロセス（Ｐ５）５０５にあるように工程マネージャは、配送完了のステータスをプリントサービスサーバへ返送し、ショップマネージャ７０３は、プリントサービスサーバ７００上の対応するオーダＩＤのオーダ情報のステータスを更新して（１６２０）、処理を終了する。
【０１３４】
次に、作成されたホットフォルダ３００の利用のプロセスを、図１８〜図２０等を参照して説明する。
【０１３５】
＜クライアント上でのホットフォルダへのデータ投入＞
図１８は、本発明に係る印刷システムにおけるホットフォルダ利用プロセスを説明する図であり、図１２と同一のものには同一の符号を付してある。
【０１３６】
図１８において、ユーザは、プロセス（Ｐ１１）５１１にあるように、デフォルトホットフォルダの時と同じように、クライアントコンピュータ４００上のアプリケーションプログラムを起動し、ドキュメントデータを、プリントサービス用のプリントサービスドキュメントデータ３５１へ変換処理をプリントサービスドライバ４６１により行い、このときにユーザは、プリントサービスドライバのＵＩ上で、任意のホットフォルダ３００を選択し、変換されたデータは、そのホットフォルダ内へ作成される。
【０１３７】
また、デフォルトホットフォルダの時と同じく、既にアプリケーションのドキュメントデータがある場合や、プリントサービスドキュメントデータ３５１への変換を行わずにアップロードしたい場合など、ドキュメントデータを直接、ホットフォルダ３００へ、マウスを使用しドラッグ＆ドロップする。
【０１３８】
＜サムネイル／文書情報の確認＞
そして、ジョブサブミッタ４２０は、前記ホットフォルダに投入された時点で呼び出され、前記ホットフォルダダイアログ（図９参照）が表示される。
【０１３９】
なお、デフォルトホットフォルダのときと同じく、投入されたデータファイルは、サムネイルの確認、文書情報の確認ができる。
【０１４０】
＜オーダ／印刷体裁情報の確認／変更＞
次に、ユーザは、オーダ／印刷体裁情報プロパティを表示／変更するボタン６０３を押した場合は、図１１に示すホットフォルダダイアログの情報表示部にオーダ／印刷体裁プロパティ情報が表示され、印刷部数６２１、仕上げ用紙サイズ６２２、両面／片面の仕上げ区分６２３、カラー／モノクロかの印刷モード６２４、標準紙／コート紙等の紙種６２５、１枚の用紙内に何ページのレイアウトを行うかのレイアウト６２６、ステイプル綴じや、製本綴じ、穴あけリング処理等の製本処理６２７、オーダとしての設定に必要な納品先６２８、住所６２９、電話番号６３０を確認したり、変更したりすることが可能となっている。
【０１４１】
そして、プリントサービスサーバ７００にアップロードする前に、ホットフォルダ３００に設定されているオーダ／印刷体裁プロパティ情報１５０を確認し、さらにその設定の内容を事前にクライアント側のホットフォルダ３００上で変更することができる。
【０１４２】
ジョブサブミッタ４２０は、ユーザが既定のオーダ／印刷体裁プロパティ情報１５０をここで変更した場合は、その情報を一時的なものとして扱い、オリジナルのオーダ／印刷体裁プロパティ情報には変更を加えず、その一時的に保持したオーダ／印刷体裁プロパティ情報をプリントサービスサーバにアップロードすることになる。
【０１４３】
ここで、内容を確認／変更した時点で、ユーザは、ホットフォルダダイアログのアップロードボタン６０７を押す。
【０１４４】
＜ログインダイアログ表示と認証＞
そして、アップロードボタン６０７が押されると、ジョブサブミッタ４２０は、前記デフォルトホットフォルダのフローの時と同じく、図１３に示したログインダイアログ６５０をディスプレイ４１２上に表示し、ユーザ名／パスワードの入力と、その認証確認をプリントサービスサーバに要求し、認証のチェックを行う。
【０１４５】
ここで、前記ユーザ名／パスワードを再度入力する必要がないように保存のチェックボックス６５３をオンなっていた場合は、このログインの入力処理は省かれ、以降の認証処理に進むことができる。
【０１４６】
＜ドキュメントデータとプロパティ情報のアップロード＞
ジョブサブミッタ４２０は、認証の確認より、図１８に示すプロセス（Ｐ１２）５１２にあるように、ホットフォルダ（ＨｏｔＦｏｌｄｅｒ）３００内のドキュメントデータ３５０／３５１と、そのホットフォルダ３００に設定してある、もしくは、ホットフォルダ３００上で一時的に変更されたオーダ／印刷体裁プロパティ情報１５０を、プリントサービスサーバ７００側へアップロードする。
【０１４７】
そして、アップロードされた前記データは、クライアントマネージャ７０２により、保管マネージャ７０８内に一時的に保持される。
【０１４８】
＜ウェブ上での印刷体裁／オーダ情報の確認＞
次に、クライアントマネージャ７０２は、ホットフォルダにセットされていた、もしくは、ホットフォルダ上で一時的に変更されたオーダ／印刷体裁プロパティ情報１５０をデフォルト値として、ウェブ上の印刷体裁／オーダ情報の表示（図１４，図１５参照）と値の設定を行う。そのため、ユーザは、再度同じような設定を行う必要がない。
【０１４９】
ここで、ユーザが、ホットフォルダ上に設定されていた値を変更したい場合は、その値の変更をこのウェブページ上でも再度行うこともできる。
【０１５０】
そして、デフォルトホットフォルダの時の処理フローと同じく、最終的に新しいオーダＩＤがユーザに発行され、以降は、図１８に示すプロセス（Ｐ１３）５１３、プロセス（Ｐ１４）５１４のように、ショップゲートウエイ８０１を介して、ショップ側で印刷の処理が行われ、印刷完了がプロセス（Ｐ１５）５１５として、プリントサービスサーバ７００に通知される。
【０１５１】
これにより、ホットフォルダを用いた規定の印刷設定に基づいたオーダ処理、印刷処理を完了する。
【０１５２】
図１９〜図２１は、本発明に係るプリントサービスシステムにおける第２のデータ処理手順の一例を示すフローチャートであり、ホットフォルダ作成処理と初回のプリントサービス処理を含む一連の処理手順に対応する。なお、（１９１１）〜（１９３１）は各ステップを示す。なお、本処理は、図１８に示すように、クライアントコンピュータ４００側のステップと、プリントサービスサーバ７００側のステップと、ショップ８００側のステップを含むものであるが、それぞれが独立したプログラムとして構成し、共同して一連の処理を実行するものとする。
【０１５３】
まず、ステップ（１９１１）で、既にデータがあるかどうかを判断して、データがないと判断した場合は、ユーザは、図１８に示すプロセス（Ｐ１１）５１１にあるように、デフォルトホットフォルダの時と同じように、クライアントコンピュータ４００上のアプリケーションプログラムを起動し（１９１３）、ドキュメントデータを、プリントサービス用のプリントサービスドキュメントデータ３５１へ変換処理をプリントサービスドライバ４６１により行い、このときにユーザは、プリントサービスドライバのＵＩ上で、任意のホットフォルダ３００を選択し、変換されたデータは、そのホットフォルダ内へ作成して（１９１４）、ステップ（１９１５）へ進む。
【０１５４】
一方、ステップ（１９１１）で、既にアプリケーションのドキュメントデータがあると判断した場合や、プリントサービスドキュメントデータ３５１への変換を行わずにアップロードしたい場合は、ステップ（１９１２）で、ドキュメントデータを直接、デフォルトホットフォルダ３０５へ、マウス４３１を使用しドラッグ＆ドロップする。この際に、ドキュメントデータは、１つ以上のファイルデータでも可能である。
【０１５５】
次に、ステップ（１９１５）で、ジョブサブミッタ４２０は、データを受け取ると、前記ホットフォルダに投入された時点で呼び出され、前記ホットフォルダダイアログ（図９参照）が表示される（１９１６）。
【０１５６】
そして、デフォルトホットフォルダのときと同じく、投入されたデータファイルは、サムネイルの確認、文書情報の確認をする（１９１７）。
【０１５７】
次に、ユーザは、オーダ／印刷体裁情報プロパティを表示／変更するボタン６０３が押下されたかどうかを確認して（１９１８）、押されたと判断した場合は、図１１に示すホットフォルダダイアログの情報表示部にオーダ／印刷体裁プロパティ情報が表示され、印刷部数６２１、仕上げ用紙サイズ６２２、両面／片面の仕上げ区分６２３、カラー／モノクロかの印刷モード６２４、標準紙／コート紙等の紙種６２５、１枚の用紙内に何ページのレイアウトを行うかのレイアウト６２６、ステイプル綴じや、製本綴じ、穴あけリング処理等の製本処理６２７と、オーダとしての設定に必要な納品先６２８、住所６２９、電話番号６３０等の印刷体裁情報を表示し（１９２０）、ステップ（１９２１）へ進む。
【０１５８】
一方、ステップ（１９１８）で、表示／変更するボタン６０３が押下されていないと判断した場合は、アップロードボタン６０７が押されたものと判断して、ジョブサブミッタ４２０は、前記デフォルトホットフォルダのフローの時と同じく、図１３に示したログインダイアログ６５０をディスプレイ４１２上に表示し（１９１９）、ユーザ名／パスワードの入力と（１９２１）、その認証確認をプリントサービスサーバに要求し、認証のチェックを行う（１９２２）。
【０１５９】
そして、ジョブサブミッタ４２０が認証を確認したかどうかを判断して（１９２３）、確認していない場合は、認証エラー処理を実行して（１９２６）、処理を終了する。
【０１６０】
一方、ステップ（１９２３）で、認証を確認したと判断した場合には、図１６に示すプロセス（Ｐ１２）５１２にあるように、ホットフォルダ３００内のドキュメントデータ３５０／３５１と、そのホットフォルダ３００に設定してある、もしくは、ホットフォルダ３００上で一時的に変更されたオーダ／印刷体裁プロパティ情報１５０を、プリントサービスサーバ７００側へアップロードする（１９２４）。
【０１６１】
そして、アップロードされた前記データは、クライアントマネージャ７０２により、保管マネージャ７０８内に一時的に保持される。
【０１６２】
そして、全てのデータとプロパティ情報をアップロードし終えたかどうかを判断して（１９２５）、まだアップロードし終えていないと判断した場合は、ステップ（１９２４）へ戻り、アップロードし終えていると判断した場合は、ステップ（１９２７）へ進む。
【０１６３】
そして、ステップ（１９２７）〜（１９２９）で、クライアントマネージャ７０２は、ホットフォルダ３００にセットされていた、もしくは、ホットフォルダ上で一時的に変更されたオーダ／印刷体裁プロパティ情報１５０をデフォルト値として、ウェブ上の印刷体裁／オーダ情報の表示（図１４，図１５参照）と値の設定を行う。
【０１６４】
そして、設定されたオーダジョブのデータを保存して（１９３０）、デフォルトホットフォルダの時の処理フローと同じく、最終的に新しいオーダＩＤがユーザに発行され、以降は、図１８に示すプロセス（Ｐ１３）５１３で、設定されたオーダジョブのデータをショップゲートウエイ８０１に送信し（１９３１）、その後、図１７に示したステップ（１６１５）へ処理を移す。
【０１６５】
以上により、ネットワークを利用したプリントサービスシステムにおける、クライアント側の印刷用データのアップロードの仕組みにおいて、ホットフォルダの機能を提供する事で、２回目以降の印刷の要求を、簡易化することが可能で、１回目の印刷処理によって、ユーザが設定したオーダ情報、印刷の体裁情報を、プロパティ情報として、任意のホットフォルダ上に設定する事により、ホットフォルダ毎にオーダ／印刷体裁を切り替える事が可能となり、さらに、ホットフォルダ毎のオーダ／印刷体裁変更をクライアント側で実現することを可能とする。
【０１６６】
なお、本発明は、上記した実施形態に限定されるものではなく、本発明の要旨を逸脱しない範囲内において種々変更を加え得ることは勿論である。
【０１６７】
上記実施形態および下記実施態様によれば、ネットワークを利用したプリントサービスシステムにおける、クライアント側の印刷用データのアップロードの仕組みにおいて、ホットフォルダ（特定フォルダ）の機能を提供する事で、２回目以降の印刷の要求を、簡易化することが可能となる。
【０１６８】
つまり、１回目の印刷処理によって、ユーザが設定したオーダ情報、印刷の体裁情報を、プロパティ情報として、任意のホットフォルダ上に設定する事により、ホットフォルダごとのオーダ／印刷体裁を切り替える事が可能となり、さらにクライアント側のホットフォルダ上で、既定のオーダ情報、印刷の体裁情報を変更することが可能となる。
【０１６９】
また、ネットワークを利用したプリントサービスシステムにおける、クライアント側のホットフォルダによる印刷用データファイルのアップロードの仕組みにおいて、ホットフォルダの機能に、フォルダ内の印刷用データファイルの一覧表示だけではなく、ユーザが設定したオーダ情報、印刷の体裁情報をプロパティ情報として確認することができ、かつ、印刷用データファイルのプレビュー／サムネイルの内容確認を行うことが可能となる。
【０１７０】
以下、図２２に示すメモリマップを参照して本発明に係るプリントサービスシステムで読み取り可能なデータ処理プログラムの構成について説明する。
【０１７１】
図２２は、本発明に係るプリントサービスシステムで読み取り可能な各種データ処理プログラムを格納する記憶媒体のメモリマップを説明する図である。
【０１７２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１７３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１７４】
本実施形態における図１６，図１７，図１９〜図２１に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１７５】
以上のように、前記実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１７６】
この場合、記憶媒体から読み出されたプログラムコード自体が本発明の新規な機能を実現することになり、そのプログラムコードを記憶した記憶媒体は本発明を構成することになる。
【０１７７】
従って、プログラムの機能を有していれば、オブジェクトコード、インタプリタにより実行されるプログラム、ＯＳに供給するスクリプトデータ等、プログラムの形態を問わない。
【０１７８】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１７９】
この場合、記憶媒体から読出されたプログラムコード自体が前記実施形態の機能を実現することになり、そのプログラムコードを記憶した記憶媒体は本発明を構成することになる。
【０１８０】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１８１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１８２】
また、コンピュータが読み出したプログラムコードを実行することにより、前記実施形態の機能が実現されるだけでなく、そのプログラムコードの指示に基づき、コンピュータ上で稼働しているＯＳ（オペレーティングシステム）等が実際の処理の一部または全部を行い、その処理によって前記実施形態の機能が実現される場合も含まれることは言うまでもない。
【０１８３】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前記実施形態の機能が実現される場合も含まれることは言うまでもない。
【０１８４】
本発明は上記実施形態に限定されるものではなく、本発明の趣旨に基づき種々の変形（各実施形態の有機的な組合せを含む）が可能であり、それらを本発明の範囲から排除するものではない。
【０１８５】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１０について説明する。
【０１８６】
〔実施態様１〕
印刷用のデータを作成する少なくとも１つ以上のクライアントと、プリントサービスの印刷データの管理、印刷加工処理、オーダの入力／管理などを行うサーバと、印刷データの印刷処理を行うショップシステムから構成されるプリントサービスシステムにおいて、印刷データを保存するための記憶手段と、その記憶する領域を特定のフォルダに割り当て管理する手段と、前記特定のフォルダに印刷データを加工する情報を保持する手段と、前記特定のフォルダに印刷処理のオーダ情報を保持する手段と、前記印刷データが前記特定フォルダに投入されたことによりイベントが発生する手段を有し、前記イベントにより、前記特定フォルダ内の印刷データの内容を確認する手段と、前記特定のフォルダに印刷データを加工する情報を変更する手段と、前記特定のフォルダに印刷処理のオーダ情報を変更する手段と、前記印刷データを、前記印刷データを加工する情報に基づいて、入力すべき印刷加工の設定情報を書き換える手段と、前記印刷データを、前記印刷処理のオーダ情報に基づいて、入力すべきオーダの設定情報を書き換える手段とを備えることを特徴とするプリントサービスシステム。
【０１８７】
〔実施態様２〕
上記印刷データを加工する情報と印刷処理のオーダ情報は、少なくともどちらか一方の情報のみ保持する手段と、同様に、少なくともどちらか一方の情報に基づいて、設定情報を書き換える手段を有することを特徴とする実施態様１に記載のプリントサービスシステム。
【０１８８】
〔実施態様３〕
上記特定のフォルダに印刷処理のオーダ情報を保持する手段は、前記特定フォルダ内に保持するのではなく、フォルダにリンクされた異なる場所に上記情報を保持する手段を有することを特徴とする実施態様１に記載のプリントサービスシステム。
【０１８９】
〔実施態様４〕
上記特定のフォルダに印刷データを加工する情報を保持する手段は、前記特定フォルダ内に保持するのではなく、フォルダにリンクされた異なる場所に上記情報を保持する手段を有することを特徴とする実施態様１に記載のプリントサービスシステム。
【０１９０】
〔実施態様５〕
印刷用のデータを作成する少なくとも１つ以上のクライアントと、プリントサービスの印刷データの管理、印刷加工処理、オーダの入力／管理などを行うサーバと、印刷データの印刷処理を行うショップシステムから構成されるプリントサービスシステムにおいて、印刷データを保存するための記憶手段と、その記憶する領域を特定のフォルダに割り当て管理する手段と、前記特定のフォルダに、一度印刷処理を行った際の印刷データを加工する情報に基づた、印刷データを加工する情報を保持する手段と、前記特定のフォルダに、一度印刷処理を行った際の印刷処理のオーダ情報に基づいた、印刷処理のオーダ情報を保持する手段と、前記イベントにより、前記特定フォルダ内の印刷データの内容を確認する手段と、前記特定のフォルダに印刷データを加工する情報を変更する手段と、前記特定のフォルダに印刷処理のオーダ情報を変更する手段と、前記印刷データを、前記印刷データを加工する情報に基づいて、入力すべき印刷加工の設定情報を書き換える手段と、前記印刷データを前記印刷処理のオーダ情報に基づいて、入力すべきオーダの設定情報を書き換える手段、
と備えることを特徴とするプリントサービスシステム。
【０１９１】
〔実施態様６〕
上記印刷データを加工する情報と印刷処理のオーダ情報は、少なくともどちらか一方の情報のみ保持する手段と、同様に、少なくともどちらか一方の情報に基づいて、設定情報を書き換える手段を有することを特徴とする実施態様５に記載のプリントサービスシステム。
【０１９２】
〔実施態様７〕
上記特定のフォルダに印刷処理のオーダ情報を保持する手段は、前記特定フォルダ内に保持するのではなく、フォルダにリンクされた異なる場所に上記情報を保持する手段を有することを特徴とする実施態様５に記載のプリントサービスシステム
〔実施態様８〕
印刷用のデータを作成する少なくとも１つ以上のクライアントと、プリントサービスの印刷データの管理、印刷加工処理、オーダの入力／管理などを行うサーバと、印刷データの印刷処理を行うショップシステムと、クライアント上でホットフォルダによりサーバにデータをアップロードする手段を有するホットフォルダから構成されるプリントサービスシステムにおいて、印刷データファイルがホットフォルダに投入されたことによりイベントが発生する手段と、前記投入された印刷データファイルは、１つ以上のデータファイルから構成されることが可能で、前記発生したイベントをトリガとして、前記投入された印刷データファイルの識別情報を保持する手段と、前記投入された印刷データファイルの識別情報の一覧を表示する手段と、前記投入された印刷データファイルの任意の印刷データファイルの識別情報を表示する手段と、前記投入された印刷データファイルの任意のページの識別画像を作成する手段と、前記作成された識別画像と前記保持される印刷データファイルの識別情報とをリンクする手段と、前記作成された任意の印刷データファイルの識別画像を表示する手段と、前記ホットフォルダにリンクされている付加情報を保持する手段と、前記ホットフォルダにリンクされている前記付加情報を表示する手段と備えることを特徴とするホットフォルダ機能を有するプリントサービスシステム。
【０１９３】
〔実施態様９〕
前記ホットフォルダにリンクされている付加情報は、前記印刷データファイルを加工する情報を含むことを特徴とする実施態様９に記載のプリントサービスシステム。
【０１９４】
〔実施態様１０〕
前記ホットフォルダにリンクされている付加情報は、印刷処理のオーダ情報を含むことを特徴とする実施態様９に記載のプリントサービスシステム。
【０１９５】
上記実施形態では、クライアントコンピュータ４００，プリントサービスサーバ７００，ショップシステム８００とを含むプリントサービスシステムを例として説明したが、もちろん、これらのシステムを構成するデータ処理装置、サーバ、サービス処理装置（プリンタとその制御装置）についても本発明を適用可能であり、請求項１に記載されるような、プリントサーバシステムを構成する手段を含むそれぞれのデータ処理装置、サーバ、サービス処理装置として構成することも本発明の開示範囲であることはいうまでもない。
【図面の簡単な説明】
【０１９６】
【図１】本発明の第１実施形態を示す印刷システムを適用可能なプリントサービスシステムの一例を示すシステム構成図である。
【図２】図１に示したクライアントコンピュータの構成を示すブロック図である。
【図３】図１に示したプリントサービスサーバの構成を示す詳細ブロック図である。
【図４】図１に示したプリントショップ印刷システムの詳細構成を説明するブロック図である。
【図５】図２に示したホットフォルダの種別とその機能を説明する図である。
【図６】図２に示したホットフォルダの種別とその機能を説明する図である。
【図７】図２に示したディスプレイに表示されるデフォルトフォルダダイアログの一例を示す図である。
【図８】図２に示したディスプレイに表示されるデフォルトフォルダダイアログの一例を示す図である。
【図９】図２に示したディスプレイに表示されるホットフォルダダイアログの一例を示す図である。
【図１０】図２に示したディスプレイに表示されるホットフォルダダイアログの一例を示す図である。
【図１１】図２に示したディスプレイに表示されるホットフォルダダイアログの一例を示す図である。
【図１２】本発明に係るプリントサービスシステムにおけるホットフォルダ作成プロセスを説明する図である。
【図１３】図２に示したディスプレイに表示されるログイン認証画面の一例を示す図である。
【図１４】図２に示したディスプレイに表示されるプリントサービス設定画面の一例を示す図である。
【図１５】図２に示したディスプレイに表示されるプリントサービス設定画面の一例を示す図である。
【図１６】本発明に係るプリントサービスシステムにおける第１のデータ処理手順の一例を示すフローチャートである。
【図１７】本発明に係るプリントサービスシステムにおける第１のデータ処理手順の一例を示すフローチャートである。
【図１８】本発明に係る印刷システムにおけるホットフォルダ利用プロセスを説明する図である。
【図１９】本発明に係るプリントサービスシステムにおける第２のデータ処理手順の一例を示すフローチャートである。
【図２０】本発明に係るプリントサービスシステムにおける第２のデータ処理手順の一例を示すフローチャートである。
【図２１】本発明に係るプリントサービスシステムにおける第２のデータ処理手順の一例を示すフローチャートである。
【図２２】本発明に係るプリントサービスシステムで読み取り可能な各種データ処理プログラムを格納する記憶媒体のメモリマップを説明する図である。
【符号の説明】
【０１９７】
３００  ホットフォルダ（特定フォルダ）
３０５  デフォルトホットフォルダ
４００  クライアントコンピュータ
４２０  ジョブサブミッタ
７００  プリントサービスサーバ
８００  ショップシステム
【図１】
2005115660.tif 000003
【図２】
2005115660.tif 000004
【図３】
2005115660.tif 000005
【図４】
2005115660.tif 000006
【図５】
2005115660.tif 000007
【図６】
2005115660.tif 000008
【図７】
2005115660.tif 000009
【図８】
2005115660.tif 000010
【図９】
2005115660.tif 000011
【図１０】
2005115660.tif 000012
【図１１】
2005115660.tif 000013
【図１２】
2005115660.tif 000014
【図１３】
2005115660.tif 000015
【図１４】
2005115660.tif 000016
【図１５】
2005115660.tif 000017
【図１６】
2005115660.tif 000018
【図１７】
2005115660.tif 000019
【図１８】
2005115660.tif 000020
【図１９】
2005115660.tif 000021
【図２０】
2005115660.tif 000022
【図２１】
2005115660.tif 000023
【図２２】
2005115660.tif 000024